(57)【要約】      （修正有）【課題】従来と同等以上の締結力、緩み止め効果を発揮するものでありながら、短いアンカーボルトに対しても適切に締結を行える緩み止め特殊ナットを提供する。【解決手段】上ナット１と下ナット２とからなり、上ナット１及び下ナット２の何れか一方側には、ネジ孔の周りに軸方向外方にしたがって縮径するテーパー状の外周面を有する凸部が形成され、他方側には、前記凸部が嵌合する凹部がネジ孔周りに形成されており、該凸部の外周面又は凹部の内周面の一方がネジ孔に対して微小量偏心され、他方がネジ孔と同心状とされた緩み止めナットにおいて、上ナット１並びに下ナット２の下端部外周縁にフランジを設けるとともに、上ナット１と下ナット２を三種ナットにより構成して、締結部材の全高を低くする。【選択図】図３
0003144051.tif 000002
【実用新案登録請求の範囲】
【請求項１】
上ナットと下ナットとからなり、上ナット及び下ナットの何れか一方側には、ネジ孔の周りに軸方向外方にしたがって縮径するテーパー状の外周面を有する凸部が形成され、他方側には、前記凸部が嵌合する凹部がネジ孔周りに形成されており、該凸部の外周面又は凹部の内周面の一方がネジ孔に対して微小量偏心され、他方がネジ孔と同心状とされた緩み止めナットにおいて、上ナット並びに下ナットには、それらの下端部外周縁にフランジが設けられていることを特徴とする緩み止め特殊ナット。
【請求項２】
上ナット及び／又は下ナットが三種ナットであることを特徴とする請求項１に記載の緩み止め特殊ナット。
【請求項３】
上ナットは六角ナットであり、上ナットの六角部の外接円及びフランジの外径が略等しいことを特徴とする請求項１又は２に記載の緩み止め特殊ナット。
【請求項４】
下ナットは六角ナットであり、下ナットの六角部の外接円よりもそのフランジの外径の方が大きいことを特徴とする請求項１，２又は３に記載の緩み止め特殊ナット。
【考案の詳細な説明】
【技術分野】
【０００１】
本考案は、照明柱などの柱の締結固定に用いられる緩み止め特殊ナットに関する。
【背景技術】
【０００２】
一般道や高速道に沿って設置固定される照明柱は、基礎部に埋設されたアンカーボルトに対して、台ナット、座金、スプリングワッシャ、３種ナット並びに１種ナットの合計５点の固定用部品によって取付け固定されている。
【０００３】
また、極めて優れた緩み止め機能を発揮し得る特殊ナットとして、本願出願人らが製造販売するハードロックナット（登録商標）が存在する（例えば、特許文献１参照）。
【０００４】
【特許文献１】特開２００２−１９５２３６号公報
【考案の開示】
【考案が解決しようとする課題】
【０００５】
既設の照明柱用締結部材の交換等を行う場合、既設のアンカーボルトの突出長さが一定ではなく、非常に短い場合がある。そのような場合、上記従来の固定方法では、座金、スプリングワッシャ、３種ナット及び１種ナットの全高がアンカーボルトの長さよりも高くなることがあり、作業が困難となっていた。
【０００６】
本考案は、照明柱の締結固定に際し、ハードロックナットを応用することにより、従来と同等以上の締結力、緩み止め効果を発揮するものでありながら、短いアンカーボルトに対しても適切に締結を行える緩み止め特殊ナットを提供することを目的とする。
【課題を解決するための手段】
【０００７】
本考案は、上ナットと下ナットとからなり、上ナット及び下ナットの何れか一方側には、ネジ孔の周りに軸方向外方にしたがって縮径するテーパー状の外周面を有する凸部が形成され、他方側には、前記凸部が嵌合する凹部がネジ孔周りに形成されており、該凸部の外周面又は凹部の内周面の一方がネジ孔に対して微小量偏心され、他方がネジ孔と同心状とされた緩み止めナットにおいて、上ナット並びに下ナットには、それらの下端部外周縁にフランジが設けられていることを特徴とするものである。かかる本考案の緩み止め特殊ナットによれば、上下ナットの２部品で強力で緩まない締結固定を行えるものであるから、従来の照明柱用締結構造に比して全高を低くすることができ、アンカーボルトが短い場合であっても適切な締結作業を行うことができる。さらに、上下ナットにフランジを設けているため、ボックスレンチやスパナなどの工具で締結作業を行う際に、工具がフランジに当接して安定的に回転操作を行うことができ、作業効率の向上をも図ることができる。
【０００８】
本考案の緩み止め特殊ナットにおいて、上ナット及び／又は下ナットを三種ナットとすることができる。これによれば、例えばＭ３０サイズの場合に上下ナットを三種ナットとすればその全高を３６ｍｍ程度に抑えることができるものでありながら、偏心凹凸嵌合による強力で安定した締結固定を行うことができる。
【０００９】
また、上ナットは六角ナットであり、上ナットの六角部の外接円及びフランジの外径が略等しいものとすることができる。また、下ナットは六角ナットであり、下ナットの六角部の外接円よりもそのフランジの外径の方が大きいものとすることができる。これによれば、下ナットのフランジを座金として機能させることができ、より安定的な締結を行うことができる。
【考案の効果】
【００１０】
本考案によれば、照明柱の締結固定を、従来と同等以上の締結力、緩み止め効果を発揮するものでありながら、短いアンカーボルトに対しても適切に締結を行えるようになる。
【考案を実施するための最良の形態】
【００１１】
以下、本考案の実施の形態を図面に基づいて説明する。図１〜図２に示す本発明の第１実施例に係る緩み止め特殊ダブルナットは、上ナット１と下ナット２とからなる。これら上ナット１と下ナット２の基本的構成はどのようなものでもよいが、図示実施例においては六角ナット、特に本実施例ではＭ３０三種ナットとなされている。また、上ナット１及び下ナット２には、それぞれ軸中央を貫通するネジ孔が形成されている。
【００１２】
下ナット２の上面には、ネジ孔の周りに軸方向外方（上方）にしたがって縮径するテーパー状の外周面を有する凸部６が形成されており、ネジ孔は該凸部６にわたって設けられている。この凸部６の外周面はネジ孔の軸心に対して微小量偏心されている。図示実施例においては、円錐台形状の凸部６が、ネジ孔の軸心に対して図面左側に偏心されている。
【００１３】
上ナット１の下面には、下ナット２の凸部６が嵌合する凹部５がネジ孔周りに形成されているが、この凹部５の内周面はネジ孔と同心状となされている。而して、凸部６と凹部５は相対的に微少量偏心されている。凹部５の内周面は、凸部６の形状に対応してテーパー状に形成されている。
【００１４】
また、上ナット１及び下ナット２の下端部外周縁には、それぞれフランジ３，４が形成されている。上ナット１のフランジ３の外径は、上ナット１の六角部の外接円と略等しくなされており、下ナット２のフランジ４の外径は、下ナット２の六角部の外接円よりも若干大きく形成されている。
【００１５】
上記第１実施例に係る緩み止めダブルナットは、図３に示すように、照明柱１０を基礎部に締結固定するために使用される。基礎部は、路面やコンクリート躯体などであり、この基礎部にはアンカーボルト８が埋設されている。アンカーボルト８には台ナット９が装着されており、該台ナット９上に照明柱１０のベースプレート１１が設置される。ベースプレート１１にはアンカーボルト挿通孔が形成されており、ベースプレート１１から上方に突出したアンカーボルト８に対して、下ナット２及び上ナット１が締結固定されてる。
【図面の簡単な説明】
【００１６】
【図１】本考案の緩み止め特殊ナットの一実施例を示す平面図である。
【図２】同緩み止め特殊ナットの半断面正面図である。
【図３】同緩み止め特殊ナットを照明柱の締結固定に用いた施工図である。
【符号の説明】
【００１７】
１    上ナット
２    下ナット
３    フランジ
４    フランジ
５    凸部
６    凹部
【図１】
0003144051.tif 000003
【図２】
0003144051.tif 000004
【図３】
0003144051.tif 000005